(57)【特許請求の範囲】
【請求項１】
少なくとも第１周波数を通過させる通過帯域を有する選択手段（ＳＭ）を介して、入力周波数領域内にある第１周波数の入力信号を混合器（Ｍ）の第１入力側に供給するステップと、
制御可能な発振器（ＯＳＣ，ＯＳＣI，ＯＳＣII）によって形成される発振器信号を前記混合器（Ｍ）の第２入力側に供給して前記入力信号をダイレクトコンバージョンするステップと、
ダイレクトコンバージョンに必要な周波数が、前記の選択手段（ＳＭ）の通過域内にある妨害周波数の分数または倍数に相応しない第１動作モードにて、前記の制御可能な発振器（ＯＳＣ，ＯＳＣI，ＯＳＣII）を制御して、ダイレクトコンバージョンに必要な周波数において発振器信号を供給するステップとを含む、ダイレクトコンバージョン受信段の駆動方法において、
さらに
−  ダイレクトコンバージョンに必要な周波数が、前記の選択手段（ＳＭ）の通過域内にある妨害周波数の分数または倍数に相応する第２動作モードにて、前記の制御可能な発振器を制御して、前記の選択手段（ＳＭ）の通過域外にある周波数の高いまたは周波数の低い発振器周波数を供給し、
第２動作モードにてそれぞれ分周器（Ｔ）または逓倍器（ＭＴ）を介して前記の混合器（Ｍ）に発振器信号を供給し、
ここで分周器（Ｔ）または逓倍器（ＭＴ）は当該の発振器信号を分周または逓倍して、前記の混合器（Ｍ）の入力側にてダイレクトコンバージョンに必要な周波数にし、
前記の選択手段の通過域にある妨害周波数が前記の制御可能な発振器（ＯＳＣ，ＯＳＣI，ＯＳＣII）に与える影響を低減するステップを有することを特徴とする、
ダイレクトコンバージョン受信段の駆動方法。
【請求項２】
制御ユニット（ＳＥ）により、発振器周波数が受信妨害周波数の倍数または分数であるか否かを決定し、
前記の発振器（ＯＳＣ，ＯＳＣI，ＯＳＣII）を制御して、受信妨害周波数の倍数または分数でない周波数を仮定し、前記の分周器（Ｔ）または逓倍器（ＭＴ）を相応に駆動する、
請求項１に記載の方法。
【請求項３】
第２の受信周波数領域（ＥＺ２）に対して前記の第１発振器（ＯＳＣI）を使用し、第１受信周波数領域（ＥＺ１）に対して第２発振器（ＯＳＣII）を使用する、
請求項１に記載の方法。
【請求項４】
第１受信周波数領域（ＥＺ１）に対してローパスフィルタ（ＴＰ）を割り当て、前記の第２受信周波数領域（ＥＺ２）に対してハイパスフィルタ（ＨＰ）を割り当てる、
請求項３に記載の方法。
【請求項５】
入力周波数領域に位置する第１周波数の入力信号をダイレクトコンバージョンする装置であって、
当該装置は、混合器（Ｍ）と、少なくとも第１周波数を通過させる通過帯域を有しかつ当該混合器（Ｍ）のアップストリームに配置された周波数選択手段（ＳＭ）とを含み、
制御可能な発振器（ＯＳＣ）が混合器（Ｍ）に接続されており、
周波数分周器（Ｔ）または逓倍器（ＭＴ）が前記の発振器（ＯＳＣ）と混合器（Ｍ）との間に接続されている形式の、入力信号をダイレクトコンバージョンする装置において、
制御ユニット（ＳＥ）が設けられており、
当該制御ユニット（ＳＥ）を適合化して、当該の制御ユニット（ＳＥ）により、前記の発振器（ＯＳＣ）が制御されて、
前記ダイレクトコンバージョンに必要な周波数が、前記の選択手段（ＳＭ）の通過域内にある妨害周波数の分数または倍数に相応しない場合に選択される第１動作モードにて、前記の入力信号をダイレクトコンバージョンするのに必要な発振器周波数が形成されるようにし、
また前記のダイレクトコンバージョンに必要な周波数が、前記の選択手段の通過域内にある妨害周波数が分数または倍数に相応する場合に選択される第２動作モードにて、選択手段（ＳＭ）の通過域に相応する周波数領域外の発振器周波数を形成されるようにし、
前記の制御ユニット（ＳＥ）をさらに適合化して、当該の制御ユニット（ＳＥ）によって前記の分周器（Ｔ）または逓倍器（ＭＴ）が制御されて、前記の発振器周波数がそれぞれ分周または逓倍されるようにして、前記の入力信号のダイレクトコンバージョンに必要な、混合器（Ｍ）の入力側における所望の周波数が得られるようにすることを特徴とする、
入力周波数領域に位置する第１周波数の入力信号をダイレクトコンバージョンする装置。
【請求項６】
前記の入力周波数領域は、混合器（Ｍ）のアップストリームにおいて第１および第２のサブレンジに分割され、
低周波領域（ＥＺ１）に対する第１サブレンジはローパスフィルタ（ＴＰ）を含んでおり、
また高周波領域（ＥＺ２）に対する第２サブレンジはハイパスフィルタ（ＨＰ）を含んでいる、
請求項５に記載の装置。
【請求項７】
前記サブレンジ毎に個別の発振器（ＯＳＣI，ＯＳＣII）が設けられており、
該発振器（ＯＳＣI，ＯＳＣII）は混合器（Ｍ）に接続されている
請求項６に記載の装置。
【請求項８】
前記の１つまたはそれ以上の発振器（ＯＳＣI，ＯＳＣII）は、入力信号周波数の分数または倍数で動作する、
請求項７に記載の装置。
【請求項９】
前記装置は２つの入力セクションを有する、
請求項６から８までのいずれか1項記載の装置。
【発明の詳細な説明】
【０００１】
【発明の属する技術分野】
本発明は、選択手段と、制御ユニットと、周波数分周器／逓倍器と、発振器とを備える受信段の制御方法および受信チャネルの帯域をダウンコンバートする装置とに関する。
【０００２】
【従来の技術】
発振器の位相ノイズは、この発振器がかなり広い周波数領域をカバーしなければならない場合には有り難くない副作用である。このような発振器位相ノイズは、所属のＰＬＬ回路を最適化することによって改善することができる。またこの発振器ノイズを、広い周波数領域に対して別個の２つの発振器を使用することにより低減することができる。ここでこれら発振器の周波数領域は十分小さくして、位相ノイズが改善されるようにする。
【０００３】
しかしこの解決手段において、発振器周波数が受信周波数の分数または倍数である場合に、そこにさらに別の受信周波数が存在することがあり、この場合にこの受信周波数が一種の受信妨害周波数として作用し、この結果発振器引き込み(Oscillator pulling)が生じて、先の受信信号の評価が大きく損なわれることが判った。
【０００４】
【発明が解決しようとする課題】
本発明の課題は、発振器引き込みを低減する方法および装置を提供することである。
【０００５】
【課題を解決するための手段】
上記課題は本発明により、選択手段と、制御ユニットと、周波数分周器／逓倍器と、発振器とを備える受信段の制御方法において、発振器周波数が所望の受信周波数の分数または倍数である場合に、発振周波数に等しい周波数を前記選択手段により減衰させることを特徴とする受信段制御方法を構成することによって解決される。
【０００６】
本発明の発展形態は従属請求項に記載されている。
【０００７】
【発明の実施の形態】
選択手段と、周波数分周器／逓倍器と、制御ユニットと、発振器とを備える本発明による受信段の制御方法の特徴は、選択段を制御して発振器周波数が受信妨害周波数の分数または倍数の場合にこの受信妨害周波数をこの選択手段により減衰させることである。
【０００８】
入力信号が従来のように、本発明によるものではない受信段に供給され、しかも発振器と入力段との分離が十分でない場合、すでに説明したように、発振器引き込みが発生する。このため本発明では選択段を追加してこれを制御する。この場合にこの選択段は外部から到来しかつ発振器周波数と同じような周波数で振動する信号を減衰し、これによりこの信号が受信段を妨害しないようにする。
【０００９】
この方法の別の特徴は、第１受信周波数領域に対して第１発振器を、第２受信周波数領域に対して第２発振器を使用することである。
【００１０】
発振器の動作領域を２つの周波数領域に分けることにより位相ノイズは低減され、これにより付加的に１つまたは複数の選択段が設けられるが、改善された位相ノイズ特性が維持され、発振器の引き込みが低減される。第１発振器は例えば入力周波数で直接動作し、第２発振器は入力周波数の分数または倍数で動作する。したがって第２発振器を本発明による方法によって補助すれば有利である。
【００１１】
本発明の方法はこの他に、第１受信領域に対してローパスフィルタが、また第２受信領域に対してハイパスフィルタが変換段（Ｉ／Ｑ復調器）に配属されているという特徴も有する。
【００１２】
本発明の方法は有利にも、制御ユニットが分周器または逓倍器を制御し、これにより別の発振器周波数が使用できるという特徴を有する。
【００１３】
制御ユニットにより発振器周波数が受信妨害周波数の分数または倍数であることが検出された場合に、分周器または逓倍器を制御して受信妨害周波数の別の倍数ないしは別の分数ではない別の発振器周波数を使用する。これにより選択を最適に適合させて、受信段の出力信号を最適化することができる。
【００１４】
【実施例】
以下本発明を図面を用い実施例により説明する。
【００１５】
図１は、本発明のブロック回路図を示している。９５０〜２１５０ＭＨｚの入力周波数の受信チャネルが、ＡＧＣ制御される増幅段に供給され、このＡＧＣ制御される増幅段からさらに選択手段ＳＭに供給される。選択手段ＳＭは例えば理想的には単一のチャネルだけを選択するが、通常は複数のチャネルを通過させる。このように処理された信号はその次に混合器Ｍに達する。この混合器Ｍは、入力信号と、発振器ＯＳＣにより分周器または逓倍器ＭＴを用いて分周または逓倍化された信号とを混合する。その後は混合器において出力信号ＩとＱが利用可能である。制御ユニットＳＥは、受信した信号に依存して増幅段ＡＧＣ、選択手段ＳＭ、および発振器ＯＳＣを制御するために使用される。
【００１６】
変換を直接行う混合段では、有効信号は中間周波数なしにダウンコンバートされるため、混合器に接続される発振器からの周波数はつねにダウンコンバートすべきチャネル周波数の範囲にある。この結果、発振器周波数は有効信号により離調することがある。しかしながらこの場合に混合器と発振器との間に分周器または逓倍器を使用することにより、発振器周波数は、選択手段が通過させるチャネル領域外にずらされる。この場合にＰＬＬ(Phase Lock Loop)は、制御ユニットＳＥと共に、いずれの場合にも正しい発振器周波数が混合器Ｍに供給されることを保証する。
【００１７】
例えば２００３ＭＨｚの有効周波数を受信する場合、制御ユニットはＡＧＣ回路を、相応の有効信号が選択段を介して混合器Ｍに供給されるように制御する。さらにこの制御ユニットＳＥは、図１の破線を介して、分周器または逓倍器ブロックＭＴが逓倍器として動作するように破線を介して制御し、これにより１０００ＭＨｚの発振器周波数の場合に２倍の逓倍化により、混合器の一方の端子には２００３ＭＨｚの入力周波数が、また他方の端子には２０００ＭＨｚの周波数が供給される。この場合に制御ユニットＳＥにより選択が調整されて、発生する可能性のある相応の妨害周波数例えば１００１ＭＨｚが１０００ＭＨｚの発振器周波数に到達しないようにする。選択を十分に調整できない場合、制御ユニットは応動して発振器周波数を例えば５００ＭＨｚに修正して４倍の逓倍化することにより、相応の２０００ＭＨｚを得る。
【００１８】
図２は、本発明の変形実施例のブロック回路図である。図２では発振器領域は、発振器ＯＳＣIとＯＳIIとに分割されており、また増幅器と選択手段は、ローパスフィルタＴＰおよび第１増幅段ＶIを備える、受信領域ＥＺ１のための比較的低い周波数セクションと、ハイパスフィルタＨＰおよび第２増幅段ＶIIを備える、受信領域ＥＺ２のための比較的高い周波数セクションとに分割されている。第２増幅段ＶIIにはハイパスフィルタＨＰが前置されており、このフィルタは第２ＡＧＣ制御部ＡＧＣIIを介して、調整された受信信号を受け取る。第１増幅段ＶIにはローパスフィルタＴＰが前置されており、このフィルタは第１ＡＧＣ制御部ＡＧＣIを介して、調整された受信信号を受け取る。増幅段ＶI，ＶIIから、信号は変換段Ｍに達する。
【００１９】
９５０〜１５００ＭＨｚの受信領域ＥＺ１に対して発振器ＯＳＣIIは、１９００〜３０００ＭＨｚの動作周波数でアクティブである。発振器ＯＳＣIIの動作周波数は分周器Ｔに供給され、引き続き変換段Ｍに供給される。ここではこの場合に、受信領域９５０〜１５００ＭＨｚに対してローパスフィルタＴＰが変換段Ｍの前の信号路に作用する。
【００２０】
１４５０〜２１５０ＭＨｚの受信領域ＥＺ２に対してＯＳＣIは１４５０〜２１５０ＭＨｚの動作周波数でアクティブである。この場合にはハイパスフィルタＨＰが変換段Ｍの前の信号路に作用する。比較的周波数の低いセクションと発振器IIないしは比較的周波数の高いセクションと発振器Iは、所望の受信周波数に応じて、制御ユニットＳＥにより相互に切り換えられる。制御ユニットＳＥはこの他に、フィルタ段に前置されたアクティブな受信分岐路またはアクティブでない信号路に対してＡＧＣ制御器を制限するために使用される。
【００２１】
第１の例では、受信周波数を１２００ＭＨｚ、受信領域ＥＺ１とする。この場合にＡＧＣ段ＡＧＣI／ローパスフィルタ／増幅器ＶIが動作し、発振器IIは２４００ＭＨｚでアクティブである。ＡＧＣ段IIは最大限に制限され、さらに増幅段ＶIIはスイッチオフされる。
【００２２】
別の例では１００１ＭＨｚの入力信号が供給され、かつ発振器ＯＳＣIIが２０００ＭＨｚで発振する場合、この周波数は２で除算された後１０００ＭＨｚで混合器に達する。一方のチャネルだけに例えば２００２ＭＨｚが供給されている場合に、このチャネルでは発振器ＯＳＣIIが引き込こまれる、すなわちいわゆる発振器引き込みが生じることがある。増幅段ＶIに前置されたローパスフィルタにより、この引き込みが抑圧される。
【００２３】
次の表は別の場合を示している。
【００２４】
【表１】
0004478265.tif 000002
【図面の簡単な説明】
【図１】本発明のブロック回路図である。
【図２】本発明の変形実施例のブロック回路図である。
【符号の説明】
ＳＭ  選択手段
ＳＥ  制御ユニット
Ｍ  混合器
ＯＳＣ  発振器
ＭＴ  分周／逓倍器
ＨＰ  ハイパスフィルタ
ＴＰ  ローパスフィルタ
ＶI，ＶII  増幅段
【図１】
0004478265.tif 000003
【図２】
0004478265.tif 000004